(57)【特許請求の範囲】
【請求項１】
小筒部上端から外向きフランジを介して収納筒部を起立する主筒部と、
上記小筒部内へ上下動不能に、かつ回動可能に嵌合させた回動筒部下端から、小筒部下方へ垂下する筒部分を大外径の摘み筒とする回転体と、
上記収納筒部内へ嵌合させた中皿から雄ねじを垂設して、該雄ねじを上記回動筒部内へ嵌合させて、これ等雄ねじと回動筒部とを螺合させた上下動部材と、
上記収納筒部の上端面へ張設させた流出孔付き塗布ヘッドと、を主要部材とする液状流動体塗布容器において、
上記雄ねじ23外面に凹溝24を縦設して該凹溝内へ、上記小筒部２の上端部から突設した係合子８を摺動可能に係合させ、
下部内面に付設した内向きフランジ42を上記小筒部２下端と摘み筒13上面との間へ嵌合させて、主筒部１と摘み筒13との外面へ、主筒部１に対しては回動不能に、かつ摘み筒13に対しては回動可能に、周壁45を嵌合させると共に該周壁の下端一部を切欠きして、該切欠き部を介して切欠き内方の摘み筒部分の回動操作が可能とした外筒41を設け、
又上記流出孔34へ嵌合させた栓52を頂壁下面から垂下するキャップ51を設けて、該キャップ周壁の下端部を、上記外筒の上端部外面へ、着脱自在に嵌合させたことを特徴とする液状流動体塗布容器。
【発明の詳細な説明】
【０００１】
【発明の属する技術分野】
本発明は、液状流動体塗布容器に関する。
【０００２】
【従来の技術】
液状流動体塗布容器として、下部を小径とし、かつ上部の収納筒部を大径とした主筒部と、上記小径部内へ雌ねじ筒を上下動不能にかつ回動可能に嵌合させると共に、該雌ねじ筒下端を回転用摘み筒とする回転体と、上記雌ねじ筒に螺合させた雄ねじ上端に、上記主筒部の収納室内へ回動不能に嵌合させた中皿を付設する上下動部材と、上記収納室上端面へ張設させた、流出孔付き塗布ヘッドとを主要部材とし、上記収納室内へ粘性の液状流動体を収納させておき、上記摘み筒回動操作による中皿上昇で液状流動体を流出孔から注出し、塗布ヘッド上面で塗布するよう設けた容器が知られている。
【０００３】
【発明が解決しようとする課題】
上記容器の場合、主筒部に対する上下動部材の回動を阻止するため、収納筒部内面と中皿外面とに互いに噛み合う凹条および突条を縦設しているが、そのため収納筒部と中皿との水密な接触が不完全となって収納筒部内へ収納させた液状流動体が漏れることがあった。
【０００４】
尚収納筒部と該収納筒部内へ摺動可能に嵌合させる中皿とを、平面楕円形状とすることで、主筒部に対する上下動部材の回動を阻止でき、よってこの場合は上記凹条および突条が不要となる筈であるが、中皿は収納筒部に対する水密性を高めるために弾性合成樹脂材で形成するため、収納筒部に対する中皿回動時に中皿外周部にねじれが生じ易く、そのため上記凹条および突条を収納筒部内面と中皿外面とに設ける必要があった。
【０００５】
本発明は上記欠点を除去可能に設けたものである。
【０００６】
【課題を解決するための手段】
第１の手段として小筒部上端から外向きフランジを介して収納筒部を起立する主筒部と、
上記小筒部内へ上下動不能に、かつ回動可能に嵌合させた回動筒部下端から、小筒部下方へ垂下する筒部分を大外径の摘み筒とする回転体と、
上記収納筒部内へ嵌合させた中皿から雄ねじを垂設して、該雄ねじを上記回動筒部内へ嵌合させて、これ等雄ねじと回動筒部とを螺合させた上下動部材と、
上記収納筒部の上端面へ張設させた流出孔付き塗布ヘッドと、
を主要部材とする液状流動体塗布容器において、
上記雄ねじ23外面に凹溝24を縦設して該凹溝内へ、上記小筒部２の上端部から突設した係合子８を摺動可能に係合させた。
【０００７】
第２の手段として、上記第１の手段を有すると共に下部内面に付設した内向きフランジ42を上記小筒部２下端と摘み筒13上面との間へ嵌合させて、主筒部１と摘み筒13との外面へ、主筒部１に対しては回動不能に、かつ摘み筒13に対しては回動可能に、周壁45を嵌合させると共に該周壁の下端一部を切欠きして、該切欠き部を介して切欠き内方の摘み筒部分の回動操作が可能とした外筒41を設け、
又上記流出孔34へ嵌合させた栓52を頂壁下面から垂下するキャップ51を設けて、該キャップ周壁の下端部を、上記外筒の上端部外面へ、着脱自在に嵌合させた。
【０００８】
【発明の実施の形態】
以下図面について説明すると、本発明容器は主筒部と回転体と上下動部材と塗布ヘッドとを主要部材とする。
【０００９】
主筒部１は、小筒部２上端から外向きフランジ３を介して横断面楕円形状の収納筒部４を起立する。小筒部の上端部内面へは第１係合突条５を周設し、又収納筒部の上端外面にも第２係合突条６を周設している。尚収納筒部は眞円でもよい。
【００１０】
上記小筒部２内へは上下動不能に、かつ回動可能に回転体11の回動筒部12を嵌合させる。該回動筒部は上記第１係合突条５を嵌合させた凹溝を上端部外面に有し、又内面に後述雄ねじと噛合う螺子を有するが、その回動筒部内面を雌ねじとしてもよい。回動筒部下端部は大径として回転体回動用の摘み筒13としている。尚回動筒部12下端には底蓋14を嵌合させて回転体下端面を閉塞させている。
【００１１】
上下動部材21は、既述収納筒部４内へ水密に嵌合させた中皿22から筒状とした雄ねじ23を垂下し、該雄ねじを上記回動筒部12内へ螺合させている。図示例において中皿22は収納筒部４と同様楕円形状であり、その外周にはシール筒22a を付設している。該中皿と雄ねじ筒とは別部材とし、中皿中央部下面から短筒22b を垂下し、該短筒下端内面に係合突条を付設し、又雄ねじ筒上端部外面へは上記係合突条を嵌合させた凹溝を周設し、雄ねじ上端部を短筒43内へ回動不能に嵌着させている。中皿22上面は凸球面状としている。
【００１２】
塗布ヘッド31は、既述収納筒部４上端面を閉塞する。図示例において塗布ヘッドは凸球面状としてその外周部を下面開口の二重筒とし、外嵌合筒32下端内周に付設した突条を収納筒部の第２係合突条６下面へ係合させ、又内嵌合筒33を収納筒部の上端部内面へ水密に嵌合させている。該塗布ヘッドの頂部部分中心には流出孔34を穿設している。
【００１３】
図示例では外筒41を設けて該外筒で、主筒部１と摘み筒13との外面を覆っている。該外筒は下部内面へ付設した内向きフランジ42を、既述小筒部２の下端面と摘み筒13上面との間に嵌合させ、又該内向きフランジから起立させた短筒43内へ上記小筒部２を嵌合させると共に、その内向きフランジ外周から図２が示すように摘み筒13外面を覆う下筒部44を垂下し、該下筒部下端から収納筒部４外面へ嵌合させて外筒周壁45を起立させ、該周壁の上端部外面には凹溝46を周設させている。上記下筒部44の左右両側部は図１が示すように切欠きして該切欠き内方の摘み筒部分を外方へ露出させており、該露出部にあっては内向きフランジ42外縁から周壁45を起立させている。
【００１４】
該外筒41は、主筒部１に対して回動不能とし、そのため図示例では図２のように主筒部１の外向きフランジ３下面から第１係合板７を垂下し、該第１係合板と外筒周壁の下部内面に縦設した第２係合板47とを係合させている。
【００１５】
又図示例にあってはキャップ51を容器上端部に嵌合させている。該キャップは頂壁下面から、既述塗布ヘッドの流出孔34へ嵌合させる栓52を垂下しており、又キャップ周壁の下端部内面へ上記凹溝46内へ嵌合させて突条53を周設している。該キャップは外筒41に対して着脱自在とする。尚該キャップは塗布ヘッド31ないし主筒部１の上端部外面へ嵌合させてもよく、この場合、外筒41は必ずしも必要とせず、キャップ51を主筒部１等の主要部材の一つとすることが出来る。
【００１６】
本発明にあっては、図１が示すように回動筒部12内へ螺合させる雄ねじ23部分の左右両側に凹条としての凹溝24を縦設し、これ等凹溝内へ小筒部２の上端部から突出させた係合子８，８を摺動自在に係合させている。
【００１７】
上記構成において、予め収納筒部４内へ粘性の高い液状流動体等を入れておき、キャップ51を設けた場合は該キャップを外し、摘み筒13を主筒部１ないし外筒41に対して回動させる。すると中皿22が上昇することで収納筒部内液体は流出孔34から押出されるから、塗布ヘッド31上面により塗布すればよい。塗布後は再びキャップを嵌合させる。
【００１８】
【発明の効果】
本発明は既述構成とするもので、主筒部１の小筒部２上端から突設した係合子８を雄ねじ23に縦設した凹条としての凹溝24内へ係合させたから、既述従来例の場合のように、収納筒部４に対する上下動部材21の回動防止のために、収納筒部内面と中皿外周とに互いに噛合う凹条と凸条とを縦設しなくともよく、よって収納筒部内面と中皿外周とを水密に当接させることが容易である。
【００１９】
また、本発明は、主筒部１と摘み筒13との外面へ周壁45を嵌合させると共に該周壁の切欠き部を介して摘み筒部分の回動操作が可能とした外筒41を設けると共に、栓52を頂壁下面から垂下するキャップ51周壁の下端部を外筒の上端部外面へ着脱自在に嵌合させたので、容器の外見を向上させることが出来る。
【図面の簡単な説明】
【図１】  本発明容器の左右方向縦断面図である。
【図２】  上記容器の前後方向縦断面図である。
【符号の説明】
１…主筒部                    11…回転体
21…上下動部材                31…塗布ヘッド
41…外筒                      51…キャップ
【図１】
0003961287.tif 000002
【図２】
0003961287.tif 000003